(57)【要約】【課題】表示機能を有するコネクタを提供する。【解決手段】本考案の表示機能を有するコネクタ１０は、第１の電源線１０２、電流検出抵抗１０４、第２の電源線１０６、接地線１０８、電流検出ユニット１１０、第１の電圧比較器１１２、第２の電圧比較器１１４、第１の発光ユニット１１６、第２の発光ユニット１１８及び分圧ユニット１２０を含む。表示機能を有するコネクタ１０の一方の端部がコンピュータと接続されるが、他方の端部が多機能電気製品と接続されない場合、第１の発光ユニット１１６は発光し、第２の発光ユニット１１８は発光しない。また、表示機能を有するコネクタ１０の一方の端部がコンピュータと接続された上、他方の端部が多機能電気製品と接続された場合、第１の発光ユニット１１６は発光せず、第２の発光ユニット１１８は発光する。【選択図】図１
0003180099.tif 000002
【実用新案登録請求の範囲】
【請求項１】
電源供給装置及び電子装置に応用される表示機能を有するコネクタであって、
前記表示機能を有するコネクタは、第１の電源線、電流検出抵抗、第２の電源線、接地線、電流検出ユニット、第１の電圧比較器、第２の電圧比較器、第１の発光ユニット、第２の発光ユニット及び分圧ユニットを備え、
前記電流検出抵抗は、一方の端部が前記第１の電源線と電気的に接続され、
前記第２の電源線は、前記電流検出抵抗の他方の端部と電気的に接続され、
前記接地線は、前記第１の電源線に対応して設置され、
前記電流検出ユニットは、前記第１の電源線、前記第２の電源線及び前記接地線と電気的に接続され、
前記第１の電圧比較器は、非反転入力端が前記電流検出ユニットと電気的に接続され、
前記第２の電圧比較器は、反転入力端が前記第１の電圧比較器の非反転入力端と電気的に接続され、非反転入力端が前記第１の電圧比較器の反転入力端と電気的に接続され、
前記第１の発光ユニットは、前記第１の電源線及び前記第１の電圧比較器の出力端と電気的に接続され、
前記第２の発光ユニットは、前記第１の電源線及び前記第２の電圧比較器の出力端と電気的に接続され、
前記分圧ユニットは、前記第１の電源線、前記第１の電圧比較器の反転入力端及び前記接地端と電気的に接続され、
前記電源供給装置が前記第１の電源線及び前記接地線と電気的に接続されるとともに、前記電子装置が前記第１の電源線及び前記接地線と電気的に接続されない場合、前記電源供給装置は、前記第１の電源線に駆動電圧を伝送し、前記電流検出ユニットは、前記第２の電源線に電流が流れていないことを検出し、前記電流検出ユニットは、前記第１の電圧比較器の非反転入力端及び前記第２の電圧比較器の反転入力端に電圧を出力せず、前記分圧ユニットは、前記第１の電圧比較器の反転入力端及び前記第２の電圧比較器の非反転入力端に電圧を出力し、前記第１の電圧比較器の出力端が前記第１の発光ユニットをに零電圧を出力して前記第１の発光ユニットを発光し、前記第２の電圧比較器の出力端と前記第２の発光ユニットとが遮断されて前記第２の発光ユニットを非発光にし、
前記電源供給装置が前記第１の電源線及び前記接地線と電気的に接続されるとともに、前記電子装置が前記第１の電源線及び前記接地線と電気的に接続された場合、前記電源供給装置は、前記第１の電源線に駆動電圧を伝送し、前記電流検出ユニットは、前記第２の電源線に電流が流れたことを検出し、前記電流検出ユニットは、前記第１の電圧比較器の非反転入力端及び前記第２の電圧比較器の反転入力端に電圧を出力し、前記分圧ユニットは、前記第１の電圧比較器の反転入力端及び前記第２の電圧比較器の非反転入力端に電圧を出力し、前記電流検出ユニットが出力する電圧は、前記分圧ユニットが出力する電圧より大きいと、前記第１の電圧比較器の出力端と第１の発光ユニットとが遮断されて前記第１の発光ユニットを非発光にし、前記第２の電圧比較器の出力端が前記第２の発光ユニットに零電圧を出力して前記第２の発光ユニットを発光することを特徴とする表示機能を有するコネクタ。
【請求項２】
前記表示機能を有するコネクタは、前記第１の電圧比較器の非反転入力端及び前記接地線と電気的に接続される接地抵抗をさらに備えることを特徴とする請求項１に記載の表示機能を有するコネクタ。
【請求項３】
前記第１の発光ユニットは、
前記第１の電源線と電気的に接続される第１の限流抵抗と、
前記第１の限流抵抗及び前記第１の電圧比較器の出力端と電気的に接続される第１のＬＥＤと、を有し、
前記第２の発光ユニットは、
前記第１の電源線と電気的に接続される第２の限流抵抗と、
前記第２の限流抵抗及び前記第２の電圧比較器の出力端と電気的に接続される第２のＬＥＤと、を有することを特徴とする請求項２に記載の表示機能を有するコネクタ。
【請求項４】
前記分圧ユニットは、
前記第１の電源線及び前記第１の電圧比較器の反転入力端と電気的に接続される第１の分圧抵抗と、
前記接地線及び前記第１の電圧比較器の反転入力端と電気的に接続される第２の分圧抵抗と、を有することを特徴とする請求項３に記載の表示機能を有するコネクタ。
【請求項５】
前記表示機能を有するコネクタは、
前記第１の電源線及び前記接地線と電気的に接続される電源供給端コネクタと、
前記第２の電源線及び前記接地線と電気的に接続される装置端コネクタと、をさらに備え、
前記電源供給端コネクタは、前記電源供給装置を接続するために用いられ、前記装置端コネクタは、前記電子装置を接続するために用いられることを特徴とする請求項４に記載の表示機能を有するコネクタ。
【請求項６】
前記表示機能を有するコネクタは、
前記第１の電源線に対応して設置される上、前記電源供給端コネクタ及び前記装置端コネクタと電気的に接続される第１のデータ線と、
前記第１の電源線に対応して設置されるとともに、前記電源供給端コネクタ及び前記装置端コネクタと電気的に接続される第２のデータ線と、
前記第１の電源線、前記第２の電源線、前記第１のデータ線、前記第２のデータ線及び前記接地線を被覆するケーブル被覆材と、をさらに備えることを特徴とする請求項５に記載の表示機能を有するコネクタ。
【請求項７】
表示機能を有するアダプタであって、
前記表示機能を有するアダプタは、電流検出抵抗、電流検出ユニット、第１の電圧比較器、第２の電圧比較器、第１の発光ユニット、第２の発光ユニット及び分圧ユニットを備え、
前記電流検出ユニットは、前記電流検出抵抗と電気的に接続され、
前記第１の電圧比較器は、非反転入力端が前記電流検出ユニットと電気的に接続され、
前記第２の電圧比較器は、反転入力端が前記第１の電圧比較器の非反転入力端と電気的に接続され、非反転入力端が前記第１の電圧比較器の反転入力端と電気的に接続され、
前記第１の発光ユニットは、前記第１の電圧比較器の出力端と電気的に接続され、
前記第２の発光ユニットは、前記第２の電圧比較器の出力端と電気的に接続され、
前記分圧ユニットは、前記第１の電圧比較器の反転入力端と電気的に接続されることを特徴とする表示機能を有するアダプタ。
【請求項８】
前記表示機能を有するアダプタは、前記第１の電圧比較器の非反転入力端と電気的に接続される接地抵抗をさらに備えることを特徴とする請求項７に記載の表示機能を有するアダプタ。
【請求項９】
前記第１の発光ユニットは、
前記第１の電圧比較器の出力端と電気的に接続される第１のＬＥＤと、
前記第１のＬＥＤと電気的に接続される第１の限流抵抗と、を有し、
前記第２の発光ユニットは、
前記第２の電圧比較器の出力端と電気的に接続される第２のＬＥＤと、
前記第２のＬＥＤと電気的に接続される第２の限流抵抗と、を有し、
前記分圧ユニットは、
前記第１の電圧比較器の反転入力端と電気的に接続される第１の分圧抵抗と、
前記第１の電圧比較器の反転入力端と電気的に接続される第２の分圧抵抗と、を有することを特徴とする請求項８に記載の表示機能を有するアダプタ。
【請求項１０】
前記表示機能を有するアダプタは、
前記電流検出抵抗と電気的に接続される第１のコネクタと、
前記電流検出抵抗と電気的に接続される第２のコネクタと、をさらに備えることを特徴とする請求項９に記載の表示機能を有するアダプタ。
【考案の詳細な説明】
【技術分野】
【０００１】
本考案は、コネクタ及びアダプタに関し、特に、表示機能を有するコネクタ及びアダプタに関する。
【背景技術】
【０００２】  コネクタは、頻繁に使用される装置であり、電子回路間を接続する装置である。即ち、コネクタは、例えば、携帯電話、（公序良俗違反につき、不掲載）、（公序良俗違反につき、不掲載）、撮影装置、画像伝送装置などの多機能電気製品とコンピュータとの間を接続する装置である。これにより、多機能電気製品は、コンピュータから充電を行ったり、コンピュータとの間でデータ通信を行ったりすることができる。【０００３】
しかし、従来のコネクタは、多機能電気製品及びコンピュータと接続された際、表示機能を有さない。従って、ユーザは、コネクタが多機能電気製品及びコンピュータと正確に接続されているか否かを知ることができない。このため、ユーザは、多機能電気製品がコンピュータから正確に充電を行っているか否か、或いは、多機能電気製品とコンピュータとの間でデータ通信が正確に行われているか否かを知ることができない。
【考案の概要】
【考案が解決しようとする課題】
【０００４】
本考案の主な目的は、表示機能を有するコネクタを提供することにある。
本考案のもう１つの目的は、表示機能を有するアダプタを提供することにある。
【課題を解決するための手段】
【０００５】
上述の課題を解決するために、本考案の表示機能を有するコネクタは、電源供給装置及び電子装置に応用される。
【０００６】
本考案の表示機能を有するコネクタは、第１の電源線、電流検出抵抗、第２の電源線、接地線、電流検出ユニット、第１の電圧比較器、第２の電圧比較器、第１の発光ユニット、第２の発光ユニット及び分圧ユニットを含む。
【０００７】
電流検出抵抗は、一方の端部が第１の電源線と電気的に接続される。
【０００８】
第２の電源線は、電流検出抵抗の他方の端部と電気的に接続される。
【０００９】
接地線は、第１の電源線に対応して設置される。
【００１０】
電流検出ユニットは、第１の電源線、第２の電源線及び接地線と電気的に接続される。
【００１１】
第１の電圧比較器は、非反転入力端が電流検出ユニットと電気的に接続される。
【００１２】
第２の電圧比較器は、反転入力端が第１の電圧比較器の非反転入力端と電気的に接続され、非反転入力端が第１の電圧比較器の反転入力端と電気的に接続される。
【００１３】
第１の発光ユニットは、第１の電源線及び第１の電圧比較器の出力端と電気的に接続される。
【００１４】
第２の発光ユニットは、第１の電源線及び第２の電圧比較器の出力端と電気的に接続される。
【００１５】
分圧ユニットは、第１の電源線、第１の電圧比較器の反転入力端及び接地端と電気的に接続される。
【００１６】
電源供給装置が第１の電源線及び接地線と電気的に接続されるが、電子装置が第１の電源線及び接地線と電気的に接続されない場合、電源供給装置は、第１の電源線に駆動電圧を伝送する。この際、電流検出ユニットは、第２の電源線に電流が流れていないことを検出する。また、電流検出ユニットは、第１の電圧比較器の非反転入力端及び第２の電圧比較器の反転入力端に電圧を出力しない。また、分圧ユニットは、第１の電圧比較器の反転入力端及び第２の電圧比較器の非反転入力端に電圧を出力する。これにより、第１の電圧比較器の出力端が第１の発光ユニットに零電圧を出力するため、第１の発光ユニットは発光する。また、第２の電圧比較器の出力端と第２の発光ユニットとが遮断されるため、第２の発光ユニットは発光しない。
【００１７】
電源供給装置が第１の電源線及び接地線と電気的に接続された上、電子装置が第１の電源線及び接地線と電気的に接続された場合、電源供給装置は、第１の電源線に駆動電圧を伝送する。この際、電流検出ユニットは、第２の電源線に電流が流れたことを検出する。次に、電流検出ユニットは、第１の電圧比較器の非反転入力端及び第２の電圧比較器の反転入力端に電圧を出力する。また、分圧ユニットは、第１の電圧比較器の反転入力端及び第２の電圧比較器の非反転入力端に電圧を出力する。電流検出ユニットが出力する電圧は、分圧ユニットが出力する電圧より大きい。これにより、第１の電圧比較器の出力端と第１の発光ユニットとが遮断されるため、第１の発光ユニットは発光しない。また、第２の電圧比較器の出力端が第２の発光ユニットに零電圧を出力するため、第２の発光ユニットは発光する。
【００１８】
上述の課題を解決するために、本考案の表示機能を有するアダプタは、電流検出抵抗、電流検出ユニット、第１の電圧比較器、第２の電圧比較器、第１の発光ユニット、第２の発光ユニット及び分圧ユニットを含む。
【００１９】
電流検出ユニットは、電流検出抵抗と電気的に接続される。
【００２０】
第１の電圧比較器は、非反転入力端が電流検出ユニットと電気的に接続される。
【００２１】
第２の電圧比較器は、反転入力端が第１の電圧比較器の非反転入力端と電気的に接続され、非反転入力端が第１の電圧比較器の反転入力端と電気的に接続される。
【００２２】
第１の発光ユニットは、第１の電圧比較器の出力端と電気的に接続される。
【００２３】
第２の発光ユニットは、第２の電圧比較器の出力端と電気的に接続される。
【００２４】
分圧ユニットは、第１の電圧比較器の反転入力端と電気的に接続される。
【考案の効果】
【００２５】
表示機能を有するコネクタの一方の端部がコンピュータに接続されるが、他方の端部が多機能電気製品と接続されない場合、第１の発光ユニットは発光し、第２の発光ユニットは発光しない。また、表示機能を有するコネクタの一方の端部がコンピュータと接続された上、他方の端部が多機能電気製品と接続された場合、第１の発光ユニットは発光せず、第２の発光ユニットは発光する。これにより、ユーザは、コネクタと多機能電気製品とコンピュータとの間の接続状態を簡単に判断することができる。
【図面の簡単な説明】
【００２６】
【図１】本考案の表示機能を有するコネクタの回路を示すブロック図である。
【図２】本考案の表示機能を有するコネクタの実施形態を示す斜視図である。
【図３】本考案の表示機能を有するコネクタのもう１つの実施形態を示す斜視図である。
【図４】本考案の表示機能を有するアダプタの回路を示すブロック図である。
【考案を実施するための形態】
【００２７】
図１を参照する。図１は、本考案の表示機能を有するコネクタの回路を示すブロック図である。本考案の表示機能を有するコネクタ１０は、電源供給装置２０及び電子装置３０に応用される。
【００２８】
本考案の表示機能を有するコネクタ１０は、第１の電源線１０２、電流検出抵抗１０４、第２の電源線１０６、接地線１０８、電流検出ユニット１１０、第１の電圧比較器１１２、第２の電圧比較器１１４、第１の発光ユニット１１６、第２の発光ユニット１１８、分圧ユニット１２０、接地抵抗１２２、電源供給端コネクタ１２４、装置端コネクタ１２６、第１のデータ線１２８、第２のデータ線１３０及びケーブル被覆材１３２を含む。
【００２９】
第１の発光ユニット１１６は、第１の限流抵抗１３４及び第１のＬＥＤ１３６を含む。第２の発光ユニット１１８は、第２の限流抵抗１３８及び第２のＬＥＤ１４０を含む。分圧ユニット１２０は、第１の分圧抵抗１４２及び第２の分圧抵抗１４４を含む。
【００３０】
第１の電源線１０２は、電流検出抵抗１０４の一方の端部、電流検出ユニット１１０、第１の発光ユニット１１６、第２の発光ユニット１１８、分圧ユニット１２０、電源供給端コネクタ１２４、第１の限流抵抗１３４、第２の限流抵抗１３８及び第１の分圧抵抗１４２と電気的に接続される。
【００３１】
第２の電源線１０６は、電流検出抵抗１０４の他方の端部、電流検出ユニット１１０及び装置端コネクタ１２６と電気的に接続される。接地線１０８は、第１の電源線１０２に対応して設置される。接地線１０８は、電流検出ユニット１１０、分圧ユニット１２０、接地抵抗１２２、電源供給端コネクタ１２４、装置端コネクタ１２６及び第２の分圧抵抗１４４と電気的に接続される。
【００３２】
第１の電圧比較器１１２の非反転入力端は、電流検出ユニット１１０、第２の電圧比較器１１４の反転入力端及び接地抵抗１２２と電気的に接続される。第１の電圧比較器１１２の反転入力端は、第２の電圧比較器１１４の非反転入力端、分圧ユニット１２０、第１の分圧抵抗１４２及び第２の分圧抵抗１４４と電気的に接続される。第１の電圧比較器１１２の出力端は、第１の発光ユニット１１６及び第１のＬＥＤ１３６と電気的に接続される。第２の電圧比較器１１４の出力端は、第２の発光ユニット１１８及び第２のＬＥＤ１４０と電気的に接続される。
【００３３】
第１のデータ線１２８は、第１の電源線１０２に対応して設置される上、電源供給端コネクタ１２４及び装置端コネクタ１２６と電気的に接続される。第２のデータ線１３０は、第１の電源線１０２に対応して設置される上、電源供給端コネクタ１２４及び装置端コネクタ１２６と電気的に接続される。ケーブル被覆材１３２は、第１の電源線１０２、第２の電源線１０６、第１のデータ線１２８、第２のデータ線１３０及び接地線１０８を被覆する。
【００３４】
第１のＬＥＤ１３６は、第１の限流抵抗１３４と電気的に接続される。第２のＬＥＤ１４０は、第２の限流抵抗１３８と電気的に接続される。電源供給端コネクタ１２４は、電源供給装置２０を接続するために用いられる。装置端コネクタ１２６は、電子装置３０を接続するために用いられる。
【００３５】  電源供給端コネクタ１２４は、例えば、ＵＳＢ（Ｕｎｉｖｅｒｓａｌ  Ｓｅｒｉａｌ  Ｂｕｓ）コネクタである。電源供給装置２０は、例えば、コンピュータである。電子装置３０は、例えば、携帯電話、（公序良俗違反につき、不掲載）、（公序良俗違反につき、不掲載）、撮影装置、画像伝送装置などの多機能電気製品である。装置端コネクタ１２６は、例えば、ｍｉｎｉＵＳＢコネクタである。第１のＬＥＤ１３６は、例えば、緑色ＬＥＤである。第２のＬＥＤ１４０は、例えば、赤色ＬＥＤである。
【００３６】
電源供給装置２０が第１の電源線１０２及び接地線１０８と電気的に接続されるが、電子装置３０が第１の電源線１０２及び接地線１０８と電気的に接続されない場合（例えば、表示機能を有するコネクタ装置１０の一方の端部がコンピュータに接続されるが、他方の端部が多機能電気製品と接続されない場合）、先ず、電源供給装置２０が第１の電源線１０２に駆動電圧４０（例えば５ボルト）を伝送する。この際、電流検出ユニット１１０は、第２の電源線１０６に電流が流れていないことを検出する（表示機能を有するコネクタ１０には、多機能電気製品が接続されていないため、第２の電源線１０６には、電流が流れない）。また、電流検出ユニット１１０は、第１の電圧比較器１１２の非反転入力端及び第２の電圧比較器１１４の反転入力端に電圧を出力しない。
【００３７】
また、分圧ユニット１２０は、第１の電圧比較器１１２の反転入力端及び第２の電圧比較器１１４の非反転入力端に電圧（駆動電圧４０から分圧される）を出力する。このため、第１の電圧比較器１１２の反転入力端の電圧は、第１の電圧比較器１１２の非反転入力端より大きい。また、第２の電圧比較器１１４の非反転入力端の電圧は、第２の電圧比較器１１４の反転入力端より大きい。これにより、第１の電圧比較器１１２の出力端が第１の発光ユニット１１６に零電圧を出力するため、第１の発光ユニット１１６は発光する。また、第２の電圧比較器１１４の出力端と第２の発光ユニット１１８とが遮断されるため、第２の発光ユニット１１８は発光しない。
【００３８】
電源供給装置２０が第１の電源線１０２及び接地線１０８と電気的に接続された上、電子装置３０が第１の電源線１０２及び接地線１０８と電気的に接続された場合（例えば、表示機能を有するコネクタ１０の一方の端部がコンピュータに接続された上、他方の端部が多機能電気製品と電気的に接続された場合），（これにより、多機能電気製品は、コンピュータから充電を行ったり、或いは、コンピュータとの間でデータ通信を行ったりすることができる）、電源供給装置２０は、第１の電源線１０２に駆動電圧４０（例えば５ボルト）を伝送する。この際、電流検出ユニット１１０は、第２の電源線１０６に電流が流れたことを検出する（表示機能を有するコネクタ１０が多機能電気製品と接続されているため、第２の電源線１０６に電流が流れる）。次に、電流検出ユニット１１０は、第１の電圧比較器１１２の非反転入力端及び第２の電圧比較器１１４の反転入力端に電圧を出力する。
【００３９】
また、分圧ユニット１２０は、第１の電圧比較器１１２の反転入力端及び第２の電圧比較器１１４の非反転入力端に電圧（駆動電圧４０から分圧される）を出力する。電流検出ユニット１１０が出力する電圧は、分圧ユニット１２０が出力する電圧より大きい。このため、第１の電圧比較器１１２の非反転入力端の電圧は、第１の電圧比較器１１２の反転入力端より大きい。また、第２の電圧比較器１１４の反転入力端の電圧は、第２の電圧比較器１１４の非反転入力端より大きい。これにより、第１の電圧比較器１１２の出力端と第１の発光ユニット１１６とが遮断されるため、第１の発光ユニット１１６は発光しない。また、第２の電圧比較器１１４の出力端が第２の発光ユニット１１８に零電圧を出力するため、第２の発光ユニット１１８は発光する。
【００４０】
即ち、例えば、表示機能を有するコネクタ１０の一方の端部がコンピュータに接続されるが、他方の端部が多機能電気製品と接続されない場合、第１の発光ユニット１１６は発光し、第２の発光ユニット１１８は発光しない。また、表示機能を有するコネクタ１０の一方の端部がコンピュータと接続された上、他方の端部が多機能電気製品と接続された場合、第１の発光ユニット１１６は発光せず、第２の発光ユニット１１８は発光する。これにより、ユーザは、コネクタと多機能電気製品とコンピュータとの間の接続状態を簡単に判断することができる。
【００４１】
図２を参照する。図２は、本考案の表示機能を有するコネクタの実施形態を示す斜視図である。図２に示すように、電源供給端コネクタ１２４は、ＵＳＢコネクタである。装置端コネクタ１２６は、３０ピンコネクタである。
【００４２】
図３を参照する。図３は、本考案の表示機能を有するコネクタのもう１つの実施形態を示す斜視図である。図３に示すように、電源供給端コネクタ１２４は、コネクタである。装置端コネクタ１２６は、他の形式のコネクタである。
【００４３】
図２及び図３中、第１のＬＥＤ１３６及び第２のＬＥＤ１４０は、２色ＬＥＤに統合される。
【００４４】
図４を参照する。図４は、本考案の表示機能を有するアダプタの回路を示すブロック図である。図４に示すように、本考案の表示機能を有するアダプタ５０は、電流検出抵抗１０４、電流検出ユニット１１０、第１の電圧比較器１１２、第２の電圧比較器１１４、第１の発光ユニット１１６、第２の発光ユニット１１８、分圧ユニット１２０、接地抵抗１２２、第１のコネクタ１４６及び第２のコネクタ１４８を含む。
【００４５】
第１の発光ユニット１１６は、第１のＬＥＤ１３６及び第１の限流抵抗１３４を含む。第２の発光ユニット１１８は、第２のＬＥＤ１４０及び第２の限流抵抗１３８を含む。分圧ユニット１２０は、第１の分圧抵抗１４２及び第２の分圧抵抗１４４を含む。
【００４６】
図４中の各素子間の電気的な接続関係及び内容は、図１に示す内容と類似するため、ここでは詳細に説明しない。
【００４７】
表示機能を有するアダプタ５０は、コンピュータと延長線のアダプタとの間に設置することができる（例えば、第１のコネクタ１４６がコンピュータに接続され、第２のコネクタ１４８が延長線の一方のアダプタに接続される）。次に、延長線の他方のアダプタに多機能電気製品が接続される。或いは、表示機能を有するアダプタ５０は、多機能電気製品と延長線のアダプタとの間に設置することができる（例えば、第１のコネクタ１４６が多機能電気製品に接続され、第２のコネクタ１４８が延長線の一方のアダプタに接続される）。次に、延長線の他方のアダプタがコンピュータに接続される。
【００４８】
以上の説明から分かるように、本考案は、産業上の利用性、新規性及び進歩性を有する。また、本考案の構造は、従来の同類製品にはなく、公開もされていない。
【符号の説明】
【００４９】
１０    表示機能を有するコネクタ
２０    電源供給装置
３０    電子装置
４０    駆動電圧
５０    表示機能を有するアダプタ
１０２  第１の電源線
１０４  電流検出抵抗
１０６  第２の電源線
１０８  接地線
１１０  電流検出ユニット
１１２  第１の電圧比較器
１１４  第２の電圧比較器
１１６  第１の発光ユニット
１１８  第２の発光ユニット
１２０  分圧ユニット
１２２  接地抵抗
１２４  電源供給端コネクタ
１２６  装置端コネクタ
１２８  第１のデータ線
１３０  第２のデータ線
１３２  ケーブル被覆材
１３４  第１の限流抵抗
１３６  第１のＬＥＤ
１３８  第２の限流抵抗
１４０  第２のＬＥＤ
１４２  第１の分圧抵抗
１４４  第２の分圧抵抗
１４６  第１のコネクタ
１４８  第２のコネクタ
【図１】
0003180099.tif 000003
【図２】
0003180099.tif 000004
【図３】
0003180099.tif 000005
【図４】
0003180099.tif 000006
【手続補正書】
【提出日】平成24年10月9日(2012.10.9)
【手続補正１】
【補正対象書類名】明細書
【補正対象項目名】０００２
【補正方法】変更
【補正の内容】
【０００２】
コネクタは、頻繁に使用される装置であり、電子回路間を接続する装置である。即ち、コネクタは、例えば、携帯電話、撮影装置、画像伝送装置などの多機能電気製品とコンピュータとの間を接続する装置である。これにより、多機能電気製品は、コンピュータから充電を行ったり、コンピュータとの間でデータ通信を行ったりすることができる。
【手続補正２】
【補正対象書類名】明細書
【補正対象項目名】００３５
【補正方法】変更
【補正の内容】
【００３５】
電源供給端コネクタ１２４は、例えば、ＵＳＢ（Ｕｎｉｖｅｒｓａｌ  Ｓｅｒｉａｌ  Ｂｕｓ）コネクタである。電源供給装置２０は、例えば、コンピュータである。電子装置３０は、例えば、携帯電話、撮影装置、画像伝送装置などの多機能電気製品である。装置端コネクタ１２６は、例えば、ｍｉｎｉＵＳＢコネクタである。第１のＬＥＤ１３６は、例えば、緑色ＬＥＤである。第２のＬＥＤ１４０は、例えば、赤色ＬＥＤである。